(57)【要約】【課題】弛みの生じたワイヤーを容易に矯正でき、ワイヤーを取り付けた後でも設置が可能であり、ワイヤーを切断した状態でも収り付けができる弛み調整装置を提供すること。【解決手段】板材底壁２とその長手方向左右の側壁３及び後壁４で本体１を形成し本体の中間に回転軸１１を備える。ワイヤー３０が、後壁の挿通口１０と回転軸の差込溝１２及び側壁先端部５の間隙６を通って張設され、回転軸のラチェット部１４に逆回防止レバー１５のクリック部１６が咬合してワイヤーの張設状態を保持し、本体１が上下の半体２１からなるケーシング２０でカバーされる。【選択図】図２
2016070475.tif 000002
【特許請求の範囲】
【請求項１】
板材底壁とその長手方向左右の側壁と後壁で本体を形成し該本体の中間に回転軸を備えてなるワイヤーの弛み調整装置であって、
ワイヤーが、後壁の挿通口と回転軸の差込溝、及び側壁先端部の間隙を通って張設され、回転軸のラチェット部に逆回防止レバーのクリック部が咬合してワイヤーの張設状態を保持するとともに、本体を上下の半体からなるケーシングでカバーすることを特徴とするワイヤーの弛み調整装置。
【請求項２】
前記逆回防止レバーは、前端が側壁内面に枢支され、後端が後壁下端より突出してバネ付勢されることを特徴とするワイヤーの弛み調整装置。
【請求項３】
左右の側壁先端部に穿った透孔に切断したワイヤーの一端を繋留固定し、ワイヤー他端を回転軸に巻き取って固定側と巻き取り側を分離して取り付けることを特徴とする請求項１又は２記載のワイヤーの弛み調整装置。
【発明の詳細な説明】
【技術分野】
【０００１】  本発明は、温室カーテンにおけるワイヤーの弛みを簡単に矯正することのできるワイヤーの弛み調整装置に関する。
【背景技術】
【０００２】  温室カーテンを開閉するために用いられる駆動ワイヤー（以下単に「ワイヤー」という）は、時間の経過とともに弛みが出てくることがあり、その場合カーテン開閉に支障が生じることは避けられない。そこで弛みを矯正するためにワイヤーの止めているところを引っ張って止め直し作業をすることになるが、弛みを矯正するためにワイヤーの途中には図４に示す調整具を使用する手段をとることもある。【０００３】  すなわちこの調整具は、板材を略楕円状に屈曲して先端部５１を密着させた本体５０と、該本体の中間位置に取り付けた係合孔５４付きの回転軸５３からなるもので、密着させた前記先端部５１に穿ってある透孔５２にワイヤー５６の一端を固定するとともに、本体に５０形成した後部孔５５より挿通したワイヤー５６他端部を回転軸５３の係合孔５４に挿着し本体側壁より突出した回転軸５３の角形頭部５７を締付具で操作して巻き取り固定するというものである。つまりこの場合のワイヤー５６は片側が本体先端部５１の透孔５２に繋留され、他側は後部孔５５より挿通しなければならないため、ワイヤー５６を張設する初期段階で調整具をあらかじめ取り付けることを要し後付けすることができない。したがって調整具を持たないワイヤーに弛みが生じた場合は非能率を覚悟の上でそのまま引き続き使用をするか、面倒な作業により前記調整具を取り付けるといった手数を要するものである。【０００４】  また調整具にワイヤー５６を取り付けるに際してもワイヤーは当然ながら調整具の本体先端部５１に固定する側と、回転軸５３に巻き取る側の双方に二分しなければならず、必然ワイヤーの一部を切断する作業なども必要となる。加えて回転軸が何らかの影響を受けて万一逆回するような事態になるとワイヤーに弛みが生じるといったおそれもある。
【発明の概要】
【発明が解決しようとする課題】
【０００５】  本発明の技術的課題は、ワイヤーに弛みが生じたときにその弛みの矯正をする調整具において、ワイヤーを切断する必要がなく、ワイヤーを張設した後でも容易に取り付けができる後付け設置が可能であって、弛みの調整をする機能に加え回転軸の逆回防止を意図した、弛み調整装置を提供しようとするものである。
【課題を解決するための手段】
【０００６】  上記課題を解決するための本発明の態様は、板材底壁とその長手方向左右の側壁と後壁で本体を形成し該本体の中間に回転軸を備えてなるワイヤーの弛み調整装置であって、
ワイヤーが、後壁の挿通口と回転軸の差込溝、及び側壁先端部の間隙を通って張設され、回転軸のラチェット部に逆回防止レバーのクリック部が咬合してワイヤーの張設状態を保持するとともに、本体を上下の半体からなるケーシングでカバーすることを主旨とするものである。【０００７】  前記逆回防止レバーは、前端が側壁内面に枢支され、後端が後壁下端より突出してバネ付勢されることを特徴としている。【０００８】  左右の側壁先端部に穿った透孔に切断したワイヤーの一端を繋留固定し、ワイヤー他端を回転軸に巻き取って固定側と巻き取り側を分離して取り付けることを特徴とする。
【発明の効果】
【０００９】  本発明では本体の側壁先端部に間隙を設けているため上方からワイヤーを嵌め込むことができ、また回転軸には差込溝があり、且つ本体の後壁には挿通口があるため夫々の個所上方からワイヤーを介入できる。従来では板材を単に屈曲し先端部を密着させているため上方からワイヤーを通すことはできないが、このように前後中間いずれの個所からも通すことができる本発明は、ワイヤーを張設してからの後付けが可能であって既存の温室カーテンにも容易に装置でき得る斬新さに富んだものといえる。【００１０】  本体中間部の回転軸には逆回防止レバーがあり、したがって張設したワイヤーは弛むことがなくその状態を長期にわたって保持する。【００１１】  側壁先端部に透孔を形成しておくことにより、二分されているワイヤーの一方を透孔に繋留し他方を後壁から介入させて回転軸に固定できるため、切断されたワイヤーであっても本発明を設置することが可能であり、従来の調整具との交換もできる。
【図面の簡単な説明】
【００１２】
【図１】本発明を取り付けた温室カーテン装置を示す概略図である。
【図２】本体の外観を示し、（ａ）は斜視図、（ｂ）は平面図、（ｃ）は後面図、（ｄ）は逆回防止レバーと回転軸の咬合状態を示す内部側から見た説明図である。
【図３】（ａ）は本装置の外観図、（ｂ）は半体内部の俯瞰図である。
【図４】従来例を示す斜視図である。
【発明を実施するための形態】
【００１３】  図１は本発明装置を温室のワイヤー３０に取り付けた一例を示すもので、このワイヤー３０の動きに合わせてカーテン３１が開閉される。ワイヤー３０は原動機３２と同軸上の駆動軸３３に連動し、各トラス３４間にあるカーテン３１には押さえ線・棚線３５が臨み、またカーテン３１の動きに負荷がかからないようにするためのスベルクリップ３６が移動可能に設けられているが、これらはカーテン装置としての既存の構成手段にすぎないため詳細な説明は省略する。そしてワイヤー３０に取り付けた本装置は、合成樹脂のケーシング２０がカバーとなっているため内部は外見されない。
【００１４】  図２はケーシング２０内部の金属製の本体１を示したもので、板材の底壁２と、その長手方向左右に立設した側壁３及び後壁４からなり、側壁３は先細状にすぼまっていて舌片状の先端部５は数ミリほどの間隙６を有し、先端部５には透孔７を穿ってある。なお図中８は片方の側壁先端部近傍に屈曲形成したワイヤー脱出防止用突片、９はケーシング２０内に収納するときの位置決め孔を示す。
【００１５】  本体の中間位置には回転軸１１を備えてあり、この回転軸１１によってワイヤー３０が巻き取られる。すなわち本体後壁５には縦横形の挿通口１０があり、挿通口に介入したワイヤー３０は回転軸１１のＬ字形の差込溝１２に入って巻き取られ、他方が側壁先端部５の間隙６を通って張設されるという仕組みである。
【００１６】  前記回転軸１１は、奥端部を一方（図では向こう側）の側壁３に遊嵌し、角形頭部１３はスパナ等の締付具（不図示）によって回動できるように他方（手前側）の側壁３から突出している。そして回転軸１１にはラチェット部１４が刻設されていてこの部分に側壁内面に取り付けられた解除可能な逆回防止レバー１５のクリック部１６が咬合している。逆回防止レバー１５は、前端が側壁とのに枢支部１７であり、後端が後壁４のスリット１８より突出し両側壁に渡した針金状のバネ部材１９によりスリット１８下端に付勢されているため回転軸１１のラチェット部１４と逆回防止レバー１５のクリック部１６が咬合したときはその状態を維持するが、回転軸１１を回動して咬合が解かれるとバネ部材１９に抗して枢支部１７を支点に少しく持ち上がる。したがって通常は回転軸１１にワイヤー３０が巻き取られているためラチャット部１４がクリック部１６と咬合し、つまり逆回防止レバー１５が働いてワイヤー３０に対する回転軸１１の締め付け状態が維持されている。
【００１７】  ワイヤー３０は回転軸１１のＬ字形の差込溝１２の上方から押し込むことが可能で、後壁４の挿通口１０と相まってワイヤーを本体１内に張設できる。なお前記した突片８の先端は相対する他方の側壁との間に隙間ができているのでその個所からワイヤー３０を介入することができる。
【００１８】  ワイヤー３０は、切断することなく本体１に介入できて回転軸１１の差込溝１２に滑り込んだ状態となるため回転軸１１を回動するとその位置にて巻き取られて不動状となり、前記駆動軸３３の回転に伴って正しく作動しカーテン３１の開閉がスムーズに操作される。このように、随時にワイヤーへの取り付けができるためこのような調整装置を備えていない既存のワイヤーであっても本調整装置を後付けできる。
【００１９】  また従来品ではワイヤーの一端を本体の先端部透孔に固定し、他端を本体の後部孔より挿通して回転軸に巻き取るという手法をとっているためワイヤーは必然二分されていてワイヤー固定手段もその分手間がかかることは否めない。しかしながら本発明では図示のようにワイヤーを切断しないで済むためその分の手数を省略できる。また側壁先端部５に透孔７を形成しておくと、従来二分されたワイヤーであってもこの個所にワイヤーの一端を取り付け、他端を本体後壁４より挿入して回転軸１１に巻き取ることができ、その場合も逆回防止レバー１５によってワイヤーは確固不動状となるので、ワイヤーの張設に弛みは生じない。
【００２０】  ワイヤー３１を本体１に取り付け後は、図３に示すとおり前記のケーシング２０でカバーする。該ケーシングは対称形とした上下の半体２１を合体させたもので、合体後は中間部が筒形でその前後が流線形をしていて内部は外見されないが、回転軸１１の角形頭部１３を締付具で緊締操作できるように円形の開口部２２がある。すなわちワイヤー３０に万一弛みが生じた場合は締付具を角形頭部１３に嵌めて緊締すれば本体内部の回転軸１１が回動して巻き取ってあるワイヤー３０を弛みのないようにきつく張設でき、このため温室カーテン３１の開閉にも無駄な動きが生じない。半体２１内部は前後が略対称形であり、本体１がピッタリと収まるように中間部には本体の底壁２と合致し且つ底壁に形成した前記位置決め孔９に係合する凸部２３と、本体側壁３に接して隙間を生じないようにする当接片２４及び半体２１を相互に接合する外向き鉤片２５とその嵌合孔２６、相互の受け孔２７に嵌合する突子２８、更にはワイヤー３０の案内部２９があり、ケーシング２０内の本体１は前後左右が妄動することなく収納される。
【００２１】  上記実施形態及び図面で示したものは一例であるから、本発明の目的効果を奏する範囲における変更事項はおしなべて本発明の実施の範疇に属すること勿論である。
【符号の説明】
【００２２】１    本体
２    底壁
３    側壁
４    後壁
５    先端部
６    間隙
７    透孔
１０  挿通口
１１  回転軸
１２  差込溝
１４  ラチェット部
１５  逆回防止レバー
１６  クリック部
２０  ケーシング
２１  半体
【図１】
2016070475.tif 000003
【図２】
2016070475.tif 000004
【図３】
2016070475.tif 000005
【図４】
2016070475.tif 000006